(57)【要約】  【課題】  メーカー側がプラント保守管理用に取得するプラント稼働データをプラントユーザー側に提供する際に、ユーザーが省エネを意識付けられるようにしたアスファルトプラント及び生コンクリート製造プラントの遠隔保守管理システムを提供する。  【解決手段】  プラントの操作盤７には当日に製造された製品の総生産量と、それを製造するのに要した総エネルギー量とから求められるエネルギー原単位に対し、目標エネルギー原単位を基準としてスコア付けするスコアリング手段８を備える一方、保守管理センター５の監視サーバではスコアリング手段８にて算出されたスコアを含めたプラント稼働データを定期的に取り込み、各プラント毎のスコアを比較してランキング処理するランキング手段１１を備えると共に、各プラントユーザーがランキング手段１１にて自社プラントに対して付されたランキング情報を含めたプラント稼働データをＷｅｂ上で確認可能なように構成する。【選択図】  図１
2014157584.tif 000002
【特許請求の範囲】
【請求項１】
複数のアスファルトプラントや生コンクリート製造プラントの操作盤と、メーカー側の保守管理センターに設置される監視サーバとをインターネット回線で接続し、各プラントの操作盤からプラント稼働データを定期的に監視サーバに取り込んで各プラントを遠隔にて保守管理するプラント遠隔保守管理システムにおいて、前記操作盤にはプラントにて当日に製造されたアスファルト混合物または生コンクリートの総生産量と、それを製造するのに要した総エネルギー量とから求められるエネルギー原単位に対し、目標値として予め設定される目標エネルギー原単位を基準としてスコア付けするスコアリング手段を備える一方、監視サーバでは前記スコアリング手段にて算出されたスコアを含めたプラント稼働データを操作盤から定期的に取り込み、取り込んだ各プラント毎のスコアを比較してランキング処理するランキング手段を備えると共に、各プラントのユーザーが前記ランキング手段にて自社プラントに対して付されたランキング情報を含めたプラント稼働データをＷｅｂ上で確認可能なように構成したことを特徴とするアスファルトプラント及び生コンクリート製造プラントの遠隔保守管理システム。
【請求項２】
前記監視サーバによるランキング処理の対象プラントを各プラントのユーザーがＷｅｂ上で絞り込み可能とする絞り込み条件設定手段を備え、該絞り込み条件設定手段にて絞り込み条件を設定した場合には、前記条件に該当するプラントに限定して再度ランキング処理が行われるように構成したことを特徴とする請求項１記載のアスファルトプラント及び生コンクリート製造プラントの遠隔保守管理システム。
【請求項３】
ランキング上位のプラントに関するプラント稼働データの一部を他のプラントのユーザーがＷｅｂ上で閲覧可能なように構成したことを特徴とする請求項１または２記載のアスファルトプラント及び生コンクリート製造プラントの遠隔保守管理システム。
【発明の詳細な説明】
【技術分野】
【０００１】
本発明は、アスファルト混合物を製造するアスファルトプラントや、生コンクリートを製造する生コンクリート製造プラントを、インターネット回線を介してメーカー側の保守管理センターにて保守管理するプラントの遠隔保守管理システムに関し、特にメーカー側の保守管理センターにて取得されるプラント稼働データをプラントユーザー側もＷｅｂ上で確認可能としたアスファルトプラント及び生コンクリート製造プラントの遠隔保守管理システムに関する。
【背景技術】
【０００２】
アスファルト混合物を製造するアスファルトプラントや、生コンクリートを製造する生コンクリート製造プラントの保守管理システムとしては、従来、メーカー側の保守管理センターより遠隔にて各プラントの保守管理を行うといった遠隔保守管理システムが既に採用されているが、本出願人は、特許文献１（特開２００２−９５０６９号公報）に開示されているように、メーカー側が保守管理用に取得するプラント稼働データをユーザー側にも提供可能とした遠隔保守管理システムを提案している。
【０００３】
上記発明によれば、複数のアスファルトプラントや生コンクリート製造プラントの監視端末と、メーカー側の保守管理センターに設置される監視サーバとをインターネット回線等の公衆回線で接続し、各プラントの監視端末から各種のプラント稼働データを定期的に監視サーバに取り込むことにより、メーカー側が各プラントを遠隔にて保守管理可能としていると共に、プラントユーザー側もこの監視サーバに取り込んだプラント稼働データをＷｅｂ上でいつでも確認可能としており、メーカーとユーザーの双方からプラントの効果的な保守管理を可能としている。
【０００４】
また、プラントユーザーはプラント稼働データに含まれる、例えば燃料や電力等のエネルギー使用量、所定量の製品を製造するのに要するエネルギー量であるエネルギー原単位等、エネルギー関連のデータも併せて確認可能としているため、これらのデータに基づいて自社プラントがどの程度効率的で経済的な運転が行えているかを評価・判断することができ、例えばプラントの省エネ対策を検討するような場合においても有効なものとなっている。
【先行技術文献】
【特許文献】
【０００５】
【特許文献１】特開２００２−９５０６９号公報
【発明の概要】
【発明が解決しようとする課題】
【０００６】
このように、上記従来例においては、メーカー側が保守管理用に取得するプラント稼働データをプラントユーザー側も取得可能とすることにより、ユーザー側からも自社プラントの保守管理が行えると共に、プラント稼働データに含まれるエネルギー使用量やエネルギー原単位等のデータに基づいてプラントの省エネ対策を講ずることも可能としているが、例えば、ユーザー側が取得する前記プラント稼働データが省エネをより意識付けるようなものであれば、ユーザーはより一層自発的・積極的に省エネを意識したプラント運転を心懸けるようになると期待され、それによってプラントのより効果的な省エネが可能になると考えられる。
【０００７】
本発明は上記の点に鑑み、メーカー側がプラント保守管理用に取得するプラント稼働データをプラントユーザー側に提供する際に、ユーザーが省エネを意識付けられるようにしたアスファルトプラント及び生コンクリート製造プラントの遠隔保守管理システムを提供することを課題とする。
【課題を解決するための手段】
【０００８】
上記の課題を解決するために、本発明に係る請求項１記載のアスファルトプラント及び生コンクリート製造プラントの遠隔保守管理システムでは、複数のアスファルトプラントや生コンクリート製造プラントの操作盤と、メーカー側の保守管理センターに設置される監視サーバとをインターネット回線で接続し、各プラントの操作盤からプラント稼働データを定期的に監視サーバに取り込んで各プラントを遠隔にて保守管理するプラント遠隔保守管理システムにおいて、前記操作盤にはプラントにて当日に製造されたアスファルト混合物または生コンクリートの総生産量と、それを製造するのに要した総エネルギー量とから求められるエネルギー原単位に対し、目標値として予め設定される目標エネルギー原単位を基準としてスコア付けするスコアリング手段を備える一方、監視サーバでは前記スコアリング手段にて算出されたスコアを含めたプラント稼働データを操作盤から定期的に取り込み、取り込んだ各プラント毎のスコアを比較してランキング処理するランキング手段を備えると共に、各プラントのユーザーが前記ランキング手段にて自社プラントに対して付されたランキング情報を含めたプラント稼働データをＷｅｂ上で確認可能なように構成したことを特徴としている。
【０００９】
また、請求項２記載のアスファルトプラント及び生コンクリート製造プラントの遠隔保守管理システムでは、前記監視サーバによるランキング処理の対象プラントを各プラントのユーザーがＷｅｂ上で絞り込み可能とする絞り込み条件設定手段を備え、該絞り込み条件設定手段にて絞り込み条件を設定した場合には、前記条件に該当するプラントに限定して再度ランキング処理が行われるように構成したことを特徴としている。
【００１０】
また、請求項３記載のアスファルトプラント及び生コンクリート製造プラントの遠隔保守管理システムでは、ランキング上位のプラントに関するプラント稼働データの一部を他のプラントのユーザーがＷｅｂ上で閲覧可能なように構成したことを特徴としている。
【発明の効果】
【００１１】
本発明に係る請求項１記載のアスファルトプラント及び生コンクリート製造プラントの遠隔保守管理システムによれば、プラントの操作盤には当日に製造された製品の総生産量と、それを製造するのに要した総エネルギー量とから求められるエネルギー原単位に対し、目標エネルギー原単位を基準としてスコア付けするスコアリング手段を備える一方、監視サーバでは前記スコアリング手段にて算出されたスコアを含めたプラント稼働データを操作盤から定期的に取り込み、取り込んだ各プラント毎のスコアを比較してランキング処理するランキング手段を備えると共に、各プラントのユーザーが自社プラントに対して付されたランキング情報を含めたプラント稼働データをＷｅｂ上で確認可能なように構成したので、プラントのユーザーがプラント稼働データを取得する際には自社プラントに付された省エネに関連するランキング情報も併せて得られることとなり、それによってプラントユーザーの省エネに対する意識付けがなされ、より自発的・積極的な省エネ運転を実施するようになると期待され、プラントの省エネ対策において有効なものとなる。
【００１２】
また、請求項２記載のアスファルトプラント及び生コンクリート製造プラントの遠隔保守管理システムによれば、前記ランキング処理の対象プラントを各プラントのユーザーがＷｅｂ上で絞り込み可能とする絞り込み条件設定手段を備え、ユーザーが絞り込み条件を設定した場合には、前記条件に該当するプラントに限定して再度ランキング処理が行われるように構成したので、プラントのユーザーは自社プラントの仕様や運転条件等と類似するプラントに限定した上で改めてランキング処理を行うことができ、プラントのユーザーにとってより実情に近いランキング結果が得られることとなり、それによってプラントユーザーの省エネに対するモチベーションの向上がより期待できるものとなる。
【００１３】
また、請求項３記載のアスファルトプラント及び生コンクリート製造プラントの遠隔保守管理システムによれば、ランキング上位のプラントに関するプラント稼働データの一部を他のプラントのユーザーがＷｅｂ上で参照可能なように構成したので、ランキング下位のプラントのユーザーは、省エネ面で優秀なランキング上位のプラントにおけるプラント稼働データを参考にしながら効果的な省エネ対策を講ずることが可能となる。
【図面の簡単な説明】
【００１４】
【図１】本発明に係るアスファルトプラント及び生コンクリート製造プラントの遠隔保守管理システムの一実施例を示す、概略説明図である。
【００１５】
【図２】図１のユーザーのモニター上に表示される監視画面を示す説明図である。
【００１６】
【図３】別の監視画面を示す図２に相当する図である。
【発明を実施するための形態】
【００１７】
本発明に係るアスファルトプラント及び生コンクリート製造プラントの遠隔保守管理システムにあっては、複数のプラントの操作盤とメーカー側の保守管理センターの監視サーバとをインターネット回線で接続し、各操作盤からプラント稼働データを定期的に監視サーバに取り込んで各プラントを遠隔にて保守管理可能としていると共に、前記各操作盤には当日に製造された製品の総生産量と、それを製造するのに要した総エネルギー量とから求められるエネルギー原単位に対して、予め設定した目標エネルギー原単位を基準としてスコア付けするスコアリング手段を備えている。
【００１８】
該スコアリング手段では、算出されたスコアによって、実際のエネルギー原単位が予め設定した目標エネルギー原単位に対してどの程度良かったか、或いは悪かったかをユーザーが直感的に判断できるように、例えば基準スコアに対して、実際のエネルギー原単位が目標エネルギー原単位よりも良ければ加点される一方、悪ければ減点されるようにしている。
【００１９】
一方、メーカー側の保守管理センターの監視サーバでは、前記スコアリング手段にて算出されたスコアを含むプラント稼働データを各プラントの操作盤から定期的に取り込み、この取り込んだ各プラント毎のスコアを比較してランキング処理するランキング手段を備えていると共に、各プラントのユーザーが前記ランキング手段にて自社プラントに対して付されたランキング情報を含むプラント稼働データをＷｅｂ上で確認可能なように構成している。
【００２０】
また、各プラントのユーザーがランキング処理の対象プラントをＷｅｂ上で絞り込み可能とする絞り込み条件設定手段を備え、ユーザーが絞り込み条件を設定した場合にはその条件に該当するプラントに限定した上で再度ランキング処理が行われるようにしていると共に、ランキング上位のプラントに関するプラント稼働データの一部のデータについては、他のプラントのユーザーがＷｅｂ上で自由に閲覧可能なように構成している。
【００２１】
そして、メーカー側の保守管理センターの監視サーバが各プラントの操作盤よりプラント稼働データを取り込み、メーカー側はそのデータに基づいて各プラントの保守管理を行う一方、各プラントのユーザーがこのプラント稼働データをＷｅｂ上で参照・確認して保守管理等に利用する際には、自社プラントに付されたランキング情報も併せて目にすることとなる。そして、例えば自社プラントのランキングが高ければ、これをできるだけ維持するように配慮すると共に、反対に自社プラントのランキングが低ければ、これを解消すべく、無駄なエネルギーの使用量を極力抑えるようにしたり、或いは生産効率を高めるように図ったりするなど、ユーザーによる自発的・積極的な省エネ対策が期待される。
【００２２】
このとき、プラント稼働データには、前記ランキング情報以外にも、例えば、プラント全体及び装置毎の燃料や電力等のエネルギー使用量や、製品出荷量、エネルギー原単位等の各種データも含まれているため、ユーザーはこれらのデータに基づいて有効な省エネ対策を講ずることができると共に、ランキング上位のプラントに関するプラント稼働データの一部についてもＷｅｂ上で自由に閲覧可能としているため、これらのプラント稼働データ等も参考にしてより効果的な対策を講じられるようにしている。
【００２３】
また、各プラントユーザーは前記絞り込み条件設定手段を用いることにより、自社プラントの仕様や能力、運転条件、設置地域等と一致或いは類似するプラントに限定した上で改めてランキング処理を行うことができ、そのようにすることでプラントユーザーにとってはより実情に近いランキング結果が得られることとなって、省エネへのモチベーションの向上がより一層期待できるものとなる。
【００２４】
このように、プラントユーザーはメーカー側の保守管理センターの監視サーバ内に取り込まれたプラント稼働データを取得する度に自社プラントのランキング情報も一緒に目にすることになり、それによってプラントユーザーの省エネへのモチベーションが自ずと高められることとなって、ユーザー自らの自発的・積極的な対策によってプラントの効果的な省エネが期待できるものとなる。
【実施例】
【００２５】
以下、本発明の一実施例を図面に基づいて説明する。
【００２６】
図中の１は、アスファルトプラントや生コンクリート製造プラントに設置されるプラント遠隔保守管理システムであって、本実施例ではアスファルトプラントに設置した例を示しており、プラントユーザー２側のアスファルト混合物製造工場３とその本社・支社４、及びメーカー側の保守管理センター５等を主体に構成している。
【００２７】
前記アスファルト混合物製造工場３には、重油や灯油、ガス等を燃料とするバーナを有した骨材加熱乾燥用のドライヤや、該ドライヤにて加熱乾燥した骨材をヒータにて加熱保温しながら粒度別に貯蔵する骨材貯蔵ビン、同様に溶融アスファルトを加熱保温しながら貯蔵するアスファルトタンク、これら骨材貯蔵ビンやアスファルトタンクから排出する骨材や溶融アスファルト、また石粉等を所定量ずつ投入して撹拌混合処理するミキサ、前記ドライヤから排ガスを導出する排風機等の各種主要装置から構成されるアスファルトプラント６を備えていると共に、該アスファルトプラント６を操作制御する操作盤７を併設している。
【００２８】
前記操作盤７では、アスファルトプラント６に取り付けた各種センサにて検出される各種温度や計量値をはじめ、バーナ燃焼用に供給される重油やガス等の燃料や、骨材貯蔵ビンやアスファルトタンクのヒータや排風機等に供給される電力等のエネルギー量、また当日に製造されたアスファルト混合物の総生産量、並びに各種装置やセンサー等のエラー情報や損耗度等、各種のプラント稼働データを逐次取り込んで記憶蓄積可能としていると共に、この記憶したプラント稼働データから読み出されるアスファルト混合物の総生産量と、それを製造するのに要した総エネルギー量とから求められるエネルギー原単位（総エネルギー量をアスファルト混合物の総生産量にて除算したもの）に対して、予め設定しておいた目標エネルギー原単位を基準としてスコア付けするスコアリング手段８を具備している。
【００２９】
前記スコアリング手段８では、算出されたスコアを見たユーザーが、実際のエネルギー原単位が目標エネルギー原単位に対してどの程度良かったか、或いは悪かったかを直感的に判断できるように、例えば実際のエネルギー原単位が目標エネルギー原単位と同値であれば満点の１００点を付し、実際のエネルギー原単位が目標エネルギー原単位よりも小さければ加点する一方、大きければ減点するようにしている。
【００３０】
なお、アスファルトプラントの場合には、使用されるエネルギー種として、バーナ燃焼用のガスや重油等の燃料と、ヒータや排風機駆動用等に供給される電力との２種類があるため、これら燃料系と電力系とでそれぞれ５０点満点ずつの配点として、それらの合計スコアが１００点となるようにしており、例えば、目標エネルギー原単位として、燃料系に（基準総燃料量／基準総生産量＝３０００Ｌ／５００ｔ＝６．０Ｌ／ｔ）を、電力系に（基準総電力量／基準総生産量＝９００ｋＷｈ／５００ｔ＝１．８ｋＷｈ／ｔ）を設定した場合、実際のエネルギー原単位が、燃料系で（実総燃料量／実総生産量＝３１００Ｌ／５００ｔ＝６．２Ｌ／ｔ）、電力系で（実総電力量／実総生産量＝１０００ｋＷｈ／５００ｔ＝２．０ｋＷｈ／ｔ）であれば、燃料系のスコア＝５０点＋（６．０−６．２）×５０点＝４０点、電力系のスコア＝５０点＋（１．８−２．０）×５０点＝４０点となり、それらの合計点である４０点＋４０点＝８０点が総スコアとなって、基準スコアである１００点よりも低いものとなり、省エネ面において改善の余地があるという判定結果となる。
【００３１】
一方、メーカー側の保守管理センター５には、ユーザー側のアスファルトプラント６の操作盤７とインターネット回線にて接続される監視サーバ９と、該監視サーバ９と前記同様にインターネット回線にて接続される監視端末１０とを備えており、前記操作盤７に記憶蓄積しているプラント稼働データを前記監視サーバ９に定期的に取り込むと共に、このプラント稼働データを監視端末１０よりＷｅｂ上で確認可能としており、メーカー側ではこのプラント稼働データに基づいてユーザー側のアスファルトプラント６の保守管理を行うようにしている。
【００３２】
また、前記監視サーバ９に取り込んだプラント稼働データについては、プラントユーザー２側の本社・支社４等の端末（本社・支社等に設置される固定端末だけでなく、各社員等が携帯する移動端末を含む）からも、予め発行したユーザーＩＤやパスワード等の入力によりＷｅｂ上でいつでもまたどこからでも確認可能としており、プラントユーザー２はこのプラント稼働データに基づいて自社プラントの稼働状況を把握したり簡単な保守管理等も行えるようにしている。
【００３３】
また、前記プラント稼働データには操作盤７のスコアリング手段８にて算出されたスコアデータが含まれ、監視サーバ９では各プラントから取り込まれるプラント稼働データのスコア同士をそれぞれ比較してランキング処理するランキング手段１１を備えており、該ランキング手段１１にて各プラントユーザーに対して付されたランキング結果についてもメーカー側の監視端末１０、及びユーザー側の本社・支社４等の端末の双方から確認可能としている。
【００３４】
図２、図３は保守管理センター５の監視サーバ９内に記憶蓄積したプラント稼働データをプラントユーザー２側の本社・支社４等の端末にて表示した状態の表示画面を示すものであり、図２では、自社プラントの稼働状況の一覧として各稼働日毎の製品出荷量やバッチ数、電力使用量や燃油使用量、これらをＣＯ２排出係数に基づいて換算したＣＯ２換算量、並びに前記スコアリング手段８にて算出されたスコア（画面中ではＥＣＯスコアと表示）等を表示するようにしている。また、画面の右側上部には、前記ランキング手段１１にて自社プラントに付されたランキング（順位）が表示されていると共に、その隣にはランキングに関する詳細情報表示用の専用画面を表示させるための切換ボタン（画面中では「エコランキング」と表示）を備えている。
【００３５】
図３は、前記「エコランキング」ボタンをクリックした場合に表示され、何れのプラントユーザーも閲覧することの可能なランキング関連の詳細情報表示画面であって、画面左側よりユーザー名に代わるニックネーム（他社プラントユーザーも閲覧することから各ユーザーがそれぞれ任意に設定可能）、当月及び前月のランキングとそのアップダウン、平均のランキング、当月のプラント稼働日数、スコアリング手段８にて算出された当月及び前月のスコア、プラントのミキサ容量、当月の製品出荷量、電力使用量、燃油使用量、及びプラントの設置地域等の各種情報を、ランキング上位数社分（本実施例では上位３社分）に限定して表示するようにしている。
【００３６】
また、監視サーバ９にはプラントユーザー２のＷｅｂ上からの要求に応じてランキング処理の対象プラントを絞り込み可能とする絞り込み条件設定手段１２を備えており、例えば、ユーザーが図３の画面上部に配置された「ミキサ容量」や、「能力」、「地域」等の各種絞り込み条件設定ボタンにて絞り込み条件をそれぞれ選択した上で右端部の「抽出」ボタンをクリックすると、保守管理センター５の監視サーバ９では前記各条件に該当するプラントに限定した上で再度ランキング処理を実行し、図３のユーザー画面には前記絞り込み条件に該当するランキング上位のプラントに関するプラント稼働データが改めて表示されるようにしている。
【００３７】
そして、上記構成の遠隔保守管理システムにより、プラントユーザー２のアスファルトプラント６をメーカー側の保守管理センター５にて保守管理するときには、先ず、アスファルトプラント６が有するミキサ容量や生産能力、設置地域等の基礎データと共に、アスファルトプラント６の運転に伴って操作盤７に逐次記憶蓄積される、例えば燃油や電力等のエネルギー使用量や、製品であるアスファルト混合物の出荷量、これら両データから求められるエネルギー原単位、またＣＯ２換算量や、スコアリング手段８にて算出されるスコア、並びに各種装置やセンサー等のエラー情報や損耗度等の保守情報を含むプラント稼働データを、インターネット回線を介してメーカー側の保守管理センター５の監視サーバ９に定期的に取り込んでいく。
【００３８】
また、前記監視サーバ９では、同様にして他の複数のプラントユーザー２からもプラントの基礎データやプラント稼働データを取り込んで記憶蓄積していく一方、これら記憶蓄積した各プラント稼働データのスコア同士をランキング手段１１にてそれぞれ比較してランキング処理を行い、その結果得られるランキング情報を各プラント稼働データに付していく。そして、このランキング情報を含めたプラント稼働データを監視端末１０よりＷｅｂ上で確認し、メーカー側はこのプラント稼働データに基づいて各アスファルトプラント６の稼働状況を把握したり保守管理を行う。
【００３９】
一方、前記プラント稼働データはユーザー側の本社・支社４等の端末からもＷｅｂ上でいつでもまたどこからでも確認することができ、例えば、本社・支社４等の端末から保守管理センター５の監視サーバ９にアクセスすると、先ず、図２で示されるような自社プラントの稼働状況の確認画面が表示され、ユーザーは各稼働日毎の製品出荷量や、エネルギー使用量、ＣＯ２換算量、並びにスコアリング手段８にて算出されるスコア等の各種データから自社プラントの運転効率等を把握・確認する。
【００４０】
このとき、上記プラント稼働データと共に、画面上には前記ランキング手段１１にて自社プラントに付されたランキング（順位）が表示されており、ユーザーはプラント稼働データを確認する度にこのランキング情報も併せて目にすることとなる。したがって、自身のプラントのランキングが高ければ、ユーザーはそのランキングができるだけ維持されるように配慮すると共に、反対にランキングが低ければ、少しでもランキングが上がるように、例えば、無駄なエネルギーの使用量を極力抑えるようにしたり、生産効率を高めるように図ったりするなど、ユーザー自身による自発的・積極的な省エネ対策が期待され、これによってプラントの効果的な省エネが可能となる。
【００４１】
また、ユーザーが画面上の「エコランキング」ボタンをクリックすると、図３に示されるランキング情報表示画面に切り換わり、ランキング上位数社分に関する情報（当月及び前月のランクや、平均ランク、稼働日数、スコア、製品出荷量、電力や燃油等のエネルギー使用量等）が表示される。そして、ユーザーはこれらの有用な他社の稼働データを参考にすることで、自社プラントへの効果的な省エネ対策等を講じることが可能となる。
【００４２】
なお、ランキング上位の他社プラントの仕様や運転条件、設置地域等が自社プラントと大きく相違するような場合には、ユーザーは画面上部に配置された「ミキサ容量」や、「能力」、「地域」等の各種絞り込み条件設定ボタンを操作して、自社プラントの仕様等と一致、或いは類似のものを選択した後に「抽出」ボタンをクリックすると、保守管理センター５の監視サーバ９では前記条件に該当するプラントに限定した上で再度ランキング処理が行われる。そして、ユーザーの端末の画面上には、この新たな条件下でのランキング上位のプラントのプラント稼働データが改めて表示され、ユーザーにとってより実情に近いランキング結果が得られることになり、自社プラントの省エネ対策の参考にもし易く、かつ省エネに対するモチベーションの向上も期待できるものとなる。
【００４３】
このように、プラントユーザーは、メーカー側がプラントの保守管理用に取得したプラント稼働データをメーカー同様にＷｅｂ上より確認できて自社プラントの稼働状況の把握等に活用できると共に、ユーザーが前記データを取得する際には自社プラントに付された省エネ関連のランキング情報も併せて目にするようにしているため、ユーザーの省エネに対するモチベーションが高められ、自発的かつ積極的に省エネ運転に取り組み、プラントの効果的な省エネが期待できるものとなる。
【符号の説明】
【００４４】
１…プラント遠隔保守管理システム        ２…プラントユーザー
３…アスファルト混合物製造工場（生コンクリート製造工場）
４…本社・支社                          ５…保守管理センター
６…アスファルトプラント（生コンクリート製造工場）
７…操作盤                              ８…スコアリング手段
９…監視サーバ                          １０…監視端末
１１…ランキング手段                    １２…絞り込み条件設定手段
【図１】
2014157584.tif 000003
【図２】
2014157584.tif 000004
【図３】
2014157584.tif 000005